(57)【要約】      （修正有）【課題】一般に市販されているペットボトル入りの飲料水が使用できると共に、雑菌の浸入と繁殖を十分に抑制することができるウォーターサーバーを提供する。【解決手段】ボトル口に弁付きキャップを螺着した複数本のペットボトル７を上下反転して載置するためのホルダー部と当該ペットボトル内に空気を吸入させる際に除菌が行えるフィルターユニットを挿着するためのフィルターユニット挿入口を形成した天蓋３を設ける。さらに、前記ペットボトルの弁付きキャップより流出した飲料水を貯えるための貯水ボックスと当該貯水ボックスより分配した飲料水を冷却するための冷水器と加熱するための温水器とを内蔵した本体２と、前記本体の正面には冷水器内の冷水を注出するための冷水栓５と温水器内の温水を注出するための温水栓６を設け、さらに当該本体の底面に底蓋４を配設して構成する。【選択図】図１
0003170185.tif 000002
【実用新案登録請求の範囲】
【請求項１】
ボトル口に弁付きキャップを螺着した複数本のペットボトルを上下反転して載置するためのホルダー部と当該ペットボトル内に空気を吸入させる際に除菌が行えるフィルターユニットを挿着するためのフィルターユニット挿入口を形成した天蓋と、前記ペットボトルの弁付きキャップより流出した飲料水を貯えるための貯水ボックスと当該貯水ボックスより分配した飲料水を冷却するための冷水器と加熱するための温水器とを内蔵した本体と、前記本体の正面には冷水器内の冷水を注出するための冷水栓と温水器内の温水を注出するための温水栓を設け、さらに当該本体の底面に底蓋を配設して構成することを特徴とした、ウォーターサーバー。
【請求項２】
上記フィルターユニットは、筒状ケース内に空気中の雑菌を除去するための吸着剤を充填すると共に当該筒状ケース内の上部と底部にスポンジを配設して前記吸着剤を筒状ケース内に保持し、さらに前記筒状ケース内の上部スポンジの上面に中キャップを被せると共に当該中キャップと筒状ケースの上部に外キャップを被せて構成することを特徴とした、請求項１に記載のウォーターサーバー。
【考案の詳細な説明】
【技術分野】
【０００１】  本考案は、ミネラルウォーター等の飲料水を冷却及び加熱して貯え、適時注出して飲用することができるウォーターサーバーに関し、特に一般に市販されているペットボトル入りの飲料水が使用できると共に、雑菌の浸入と繁殖を抑制することができるウォーターサーバーに関するものである。
【背景技術】
【０００２】  オフィスや工場等を始めとし、最近では一般家庭においてもウォーターサーバーが利用されている。該ウォーターサーバーは、本体上部にガロンボトルと称される大きな飲料水容器を載置し、該ガロンボトルより流出した飲料水は本体内の冷水器と温水器の各タンクに貯えられ、本体前面にある冷水栓または温水栓を開けることにより、冷水または温水を適時注出して飲用することができるものである。【０００３】  上記ガロンボトルは、飲料水の宅配業者が定期的に交換を行うものであり、効率化を図るべく１０乃至１２リットルと大容量である。そのため、重量も１０乃至１２Ｋｇ以上となり、非力な者にとっては交換作業が大変であった。このため、例えば特開２００９−０１２８２１号公報の発明の名称「ウォーターサーバー用給水器具」には、上記ガロンボトルに代えてペットボトル入り飲料水の如く小容量の飲料水ボトルを複数本載置し、１本ずつ交換可能にして交換作業が楽に行えることを特徴としたウォーターサーバーについての記載がある。【０００４】  また、従来のウォーターサーバーは、飲料水が注出されるたびに大気中の空気を直接飲料水容器内に吸入していた。このため、空気中の雑菌が混入した飲料水が冷水器と温水器に流入していた。温水器では飲料水が８０乃至８５℃程度に加熱されるため雑菌の繁殖はないものの、冷水にあっては雑菌の繁殖の恐れがあった。このため、例えば特開２００６−２２５０１２号公報の発明の名称「飲料サーバー」には、小容量の飲料水ボトルを複数本冷却室に収納保存しておき、その内の１本を冷水用として直接注出し、別の１本を温水用として加熱貯留して注出し、冷水の注出経路を最短にすることにより雑菌の浸入と繁殖が抑制できることを特徴としたウォーターサーバーについての記載がある。【０００５】
【特許文献１】特開２００９−０１２８２１
【特許文献２】特開２００６−２２５０１２
【考案の開示】
【考案が解決しようとする課題】
【０００６】  しかしながら、上記特開２００９−０１２８２１号公報及び特開２００６−２２５０１２号公報に記載のものは、従来のガロンボトルに代えてペットボトル入り飲料水の如く小容量の飲料水ボトルを使用するために交換作業は楽に行えるが、冷水器と温水器に前記飲料水ボトル内の飲料水を流入させる際には、大気中の空気を直接飲料水ボトル内に吸入させるため、雑菌の浸入と繁殖を抑制することができず、特に特開２００６−２２５０１２号公報のものであっても効果は十分ではないという問題点があった。【０００７】  本考案は、上記問題点を解決するために成されたものであり、ミネラルウォーター等の飲料水の供給を、一般に市販されているペットボトル入りの飲料水が使用できると共に、雑菌の浸入と繁殖を十分に抑制することができるウォーターサーバーを提供することを目的とする。
【課題を解決するための手段】
【０００８】  上記課題を解決するため、本考案のウォーターサーバーは、ボトル口に弁付きキャップを螺着した複数本のペットボトルを上下反転して載置するためのホルダー部と当該ペットボトル内に空気を吸入させる際に除菌が行えるフィルターユニットを挿着するためのフィルターユニット挿入口を形成した天蓋と、前記ペットボトルの弁付きキャップより流出した飲料水を貯えるための貯水ボックスと当該貯水ボックスより分配した飲料水を冷却するための冷水器と加熱するための温水器とを内蔵した本体と、前記本体の正面には冷水器内の冷水を注出するための冷水栓と温水器内の温水を注出するための温水栓を設け、さらに当該本体の底面に底蓋を配設して構成する。【０００９】  上記フィルターユニットは、筒状ケース内に空気中の雑菌を除去するための吸着剤を充填すると共に当該筒状ケース内の上部と底部にスポンジを配設して前記吸着剤を筒状ケース内に保持し、さらに前記筒状ケース内の上部スポンジの上面に中キャップを被せると共に当該中キャップと筒状ケースの上部に外キャップを被せて構成する。
【考案の効果】
【００１０】  本考案のウォーターサーバーによれば、ミネラルウォーター等の飲料水の供給を、一般に市販されているペットボトル入りの飲料水が使用できるため、飲料水を補給する際において飲料水ボトルの交換作業が楽に行えるという効果を奏する。さらにペットボトル内に空気を吸入させる際においてフィルターユニットを通して除菌された空気が吸入されるために雑菌の浸入を防止することができ、飲料水ボトル内や冷水器内及び飲料水の注出経路内において雑菌の繁殖を十分に抑制することができるという絶大なる効果を奏する。また、前記フィルターユニットがカートリッジ式のため、当該フィルターユニットの交換作業も容易である。
【考案を実施するための最良の形態】
【００１１】  本考案を実施するための最良の形態を図を用いて説明する。図８は本考案のウォーターサーバーを構成する天蓋とこれに付随する貯水ボックス部とペットボトルと弁付きキャップとフィルターユニットとの位置関係図であり、以下説明する図１から図６の補助として参照されたい。【００１２】  まず図１は本考案のウォーターサーバーの正面図であり、図２は本考案のウォーターサーバーの平面図である。該図に示すように、本考案のウォーターサーバー１は、ボトル口１４に弁付きキャップ１５を螺着した複数本のペットボトル７を上下反転して載置するためのホルダー部１３と当該ペットボトル７内に空気を吸入させる際に除菌が行えるフィルターユニット３０を挿着するためのフィルターユニット挿入口２９を形成した天蓋３と、前記ペットボトル７の弁付きキャップ１５より流出した飲料水を貯えるための貯水ボックス１０と当該貯水ボックス１０より分配した飲料水を冷却するための冷水器と加熱するための温水器とを内蔵した本体２と、前記本体２の正面には冷水器内の冷水を注出するための冷水栓５と温水器内の温水を注出するための温水栓６を設け、さらに当該本体２の底面に底蓋４を配設して構成する。なお、前記冷水器（クーラー）と温水器（ヒーター）は既知のユニットであるため、図示及び説明は省略する。【００１３】  次に図３は図２におけるＡ−Ａ断面図であり、図４は図３の弁付きキャップの構造を示す拡大断面図である。該図に示すように、本体２の上部に冠着した天蓋３の上面には、複数のペットボトル７を上下反転して載置するため、ペットボトル７の肩部の形状と嵌合するホルダー部１３が形成される。該ホルダー部１３の内部中央には筒状の突起体２４が形成され、当該ホルダー部１３の底面にある注水口２５と連通させる。さらに前記注水口２５を貫入したボックスカバー１１をホルダー部１３の底面に密着させると共に当該ボックスカバー１１に貯水ボックス１０を係着する。【００１４】  図９は本考案のウォーターサーバーで使用するペットボトルのボトル口に取り付ける弁付きキャップの外形図であり、図１０は図９及び図４における弁付きキャップの動作を示す図である。該図に示すように、本考案のウォーターサーバー１にペットボトル７を載置する準備として、ペットボトル７に最初に付いていたキャップ（図示せず）を外し、弁付きキャップ１５を図中矢印のように挿入して交換する。このときの弁付きキャップ１５は図１０の（ａ）の状態であり、螺旋部１６を有した円筒形の本体部１７の中に、上下移動が可能な栓部１８が収納され、該栓部１８の先端部に係着されたＯリング２０と当該栓部１８の先端面の蓋部１９により、キャップ口２２は密閉されている。したがって、該状態でペットボトル７を上下反転しても内部の飲料水はこぼれ落ちることがない。ここで、当該ペットボトル７を上記天蓋３のホルダー部１３に挿着して嵌合させると、突起体２４により弁付きキャップ１５内の押接部２３が押し上げられる。このときの弁付きキャップ１５は図１０の（ｂ）の状態であり、ペットボトル７内の飲料水は、円筒形の栓部１８の側面に数ヶ所形成された開口部２１とキャップ口２２及び上述した筒状の突起体２４に連通した注水口２５とを経���貯水ボックス１０内に流出し、前記注水口２５の開口面まで貯まることになる。【００１５】  次に図５は図２におけるＢ−Ｂ断面図であり、図６は図５におけるフィルターユニットの拡大断面図である。該図に示すように、本体２の上部に冠着した天蓋３の上面には、ペットボトル７内に空気を吸入させる際に除菌が行えるフィルターユニット３０を挿着するため、当該天蓋３の略中央部にフィルターユニット挿入口２９を形成する。該フィルターユニット挿入口２９より挿入されたフィルターユニット３０の底面部には排気口３８が形成され、上述の貯水ボックス１０に冠着したボックスカバー１１の略中央部に配設されたフィルターユニット接続部２８に接続される。該フィルターユニット接続部２８は、貯水ボックス１０と連通されるため、フィルターユニット１５を経由して空気が吸入される。また、貯水ボックス１０の底面には、冷水器に飲料水を供給するための冷水器注水口２６と、温水器に飲料水を供給するための温水器注水口２７が配設され、各々チューブを通して接続される。【００１６】  図７は本考案のウォーターサーバーに取り付けるフィルターユニットの組み立て図であり、本考案のフィルターユニット３０は、筒状ケース３１内に空気中の雑菌を除去するための吸着剤３５を充填すると共に当該筒状ケース３１内の上部と底部にスポンジ３４，３６，３７を配設して前記吸着剤３５を筒状ケース３１内に保持し、さらに前記筒状ケース３１内の上部スポンジ３４の上面に中キャップ３２を被せると共に当該中キャップ３２と筒状ケース３１の上部に外キャップ３３を被せて構成する。ここで、飲料水が消費されて貯水ボックス１０内の飲料水が減少すると、フィルターユニット３０の筒状ケース３１に被せた外キャップ３３の側面にある吸気口４０と中キャップ３２に形成された開口部３９を経て吸着剤３５の中を空気が通過し、排気口３８からフィルターユニット接続部２８を経て貯水ボックス１０内にある注水口２５よりペットボトル７内に空気が吸入されると共に、吸入された空気の容量分の飲料水が貯水ボックス１０に流入することになる。【００１７】  このようにして、ペットボトル７内に空気が吸入される際は、フィルターユニット３０を通して除菌された空気が吸入されるために雑菌の浸入を防止することができ、ペットボトル７内や冷水器内及び飲料水の注出経路内において雑菌の繁殖を十分に抑制することができる。【００１８】  上述の吸着剤３５としては活性炭が好ましく、さらに銀イオンを混ぜるようにすればより好適となるが、これに限定せず他の吸着剤を使用しても構わない。【００１９】  また、上述のウォーターサーバー１を構成する各パーツは樹脂成型品が好ましく、さらに抗菌剤を混ぜて抗菌仕様にすればより好適となる。【００２０】  また、飲料水ボトルとしてペットボトル７の使用について説明したが、他の素材のボトル、例えばガラス等であっても構わない。さらにその形状も図示したペットボトル７の角型以外に他の形状、例えば丸型等であっても構わない。なお、他の形状のボトルを使用する際は、天蓋３のホルダー部１３もその形状に合わせる必要がある。【００２１】  また、天蓋３のホルダー部１３に載置するペットボトル７の本数も図示し��４本以外であっても構わない。なお、全てのホルダー部１３にペットボトル７を載置する必要はなく、載置しないホルダー部１３には当該ホルダー部１３内の突起体２４にキャップ（図示せず）を被せて密閉させることでウォーターサーバー１の使用が可能である。【００２２】  なお、上記飲料水の注水時において、貯水ボックス１０内の注水口２５の開口面を越えてオーバーフローした飲料水は、当該貯水ボックス１０の上部に配設した穴（図示せず）より排水チューブ１２を経由して本体２の前面下部にある排水口８より排水され、コップを置く台と兼用した排水トレイ９に貯める。該排水量が増えた際には、当該排水トレイ９を外して廃棄する。
【産業上の利用可能性】
【００２３】  上記説明では、ミネラルウォーター等の飲料水のためのウォーターサーバーとして説明を行ったが、前記ミネラルウォーター等の飲料水以外に、お茶やジュースなど他の飲料の飲料サーバーに利用することも可能である。
【図面の簡単な説明】
【００２４】
【図１】本考案のウォーターサーバーの正面図である。
【図２】本考案のウォーターサーバーの平面図である。
【図３】図２におけるＡ−Ａ断面図である。
【図４】図３の弁付きキャップの構造を示す拡大断面図である。
【図５】図２におけるＢ−Ｂ断面図である。
【図６】図５におけるフィルターユニットの拡大断面図である。
【図７】本考案のウォーターサーバーに取り付けるフィルターユニットの組み立て図である。
【図８】本考案のウォーターサーバーを構成する天蓋とこれに付随する貯水ボックス部とペットボトルと弁付きキャップとフィルターユニットとの位置関係図である。
【図９】本考案のウォーターサーバーで使用するペットボトルのボトル口に取り付ける弁付きキャップの外形図である。
【図１０】図９及び図４における弁付きキャップの動作を示す図である。
【符号の説明】
【００２５】  １  ウォーターサーバー
２  本体
３  天蓋
４  底蓋
５  冷水栓
６  温水栓
７  ペットボトル
８  排水口
９  排水トレイ
１０  貯水ボックス
１１  ボックスカバー
１２  排水チューブ
１３  ホルダー部
１４  ボトル口
１５  弁付きキャップ
１６  螺旋部
１７  本体部
１８  栓部
１９  蓋部
２０  Ｏリング
２１  開口部
２２  キャップ口
２３  押接部
２４  突起体
２５  注水口
２６  冷水器注水口
２７  温水器注水口
２８  フィルターユニット接続部
２９  フィルターユニット挿入口
３０  フィルターユニット
３１  筒状ケース
３２  中キャップ
３３  外キャップ
３４  スポンジ
３５  吸着剤
３６  スポンジ
３７  スポンジ
３８  排気口
３９  開口部
４０  吸気口
【図１】
0003170185.tif 000003
【図２】
0003170185.tif 000004
【図３】
0003170185.tif 000005
【図４】
0003170185.tif 000006
【図５】
0003170185.tif 000007
【図６】
0003170185.tif 000008
【図７】
0003170185.tif 000009
【図８】
0003170185.tif 000010
【図９】
0003170185.tif 000011
【図１０】
0003170185.tif 000012